(57)【要約】【課題】接地シェルの少なくとも一部をめっき材から打抜き加工及び曲げ加工して製造工程のコストを低減する直角型シールドジャック組立体の提供。【解決手段】シールドジャック組立体２は、前筒状チューブ８と後接地シェル４とを有する。後接地シェル４は、めっき材を打抜き加工及び曲げ加工して形成され、部分的な筒状部３０、筒状部３０から下方に延びる板状部４２、及び板状部４２から垂下する印刷回路基板部４４を有する。後壁部５０は、部分的筒状部と一体であり、ヒンジ５２を介して部分的な筒状部３０から垂下する。後壁部５０は、部分的な筒状部３０の端部開口を覆うように曲げられる。【選択図】図７
2005294260.tif 000002
【特許請求の範囲】
【請求項１】
細長の絶縁部材であって、中央の細長のピン受容通路、少なくとも前記絶縁部材の外表面に対して前記通路を交差する後スロット、及び前記絶縁部材の前端に隣接する凹部を有する前記絶縁部材と、
前記通路内に絶縁されて配置された細長部、及び前記後スロット部内に延びると共に前記絶縁部材の前記外表面を超えて下方に延びる直交配置された印刷回路基板タインを有する電気ピンであって、該電気ピンが露出する前記凹部内に延びる嵌合部を有する前記電気ピンと、
前記絶縁部材の前記前端に隣接する位置から前記絶縁部材の長さに少なくとも部分的に沿って後方へ延びる細長の継ぎ目の無いシールドチューブと、
該シールドチューブの外輪郭に適合する外側本体部、印刷回路基板部が一体形成され下方に延びる側壁部、及び前記外側本体部にヒンジ結合されて端部開口を囲むよう下方に折り曲げられる後板状部を有する、打抜き加工及び曲げ加工された金属製接地シェルと
を具備することを特徴とするシールドジャック組立体。
【請求項２】
前記絶縁部材、前記シールドチューブ、及び前記接地シェルの前記外側本体部は断面が筒状であることを特徴とする請求項１記載のシールドジャック組立体。
【請求項３】
前記シールドチューブ及び前記接地シェルは、それらの長さに沿って共に固定されていることを特徴とする請求項１記載のシールドジャック組立体。
【請求項４】
前記シールドチューブは周辺アンダカットを有し、
前記接地シェルは、前記外側本体部の一部分が前記アンダカット内に延びた状態で前記シールドチューブの周囲に圧着されることを特徴とする請求項３項記載のシールドジャック組立体。
【請求項５】
前記シールドチューブを取り囲んで外側シールドを形成する外側シュラウド部をさらに有することを特徴とする請求項１記載のシールドジャック組立体。
【請求項６】
前記外側シュラウド部は、打抜き加工及び曲げ加工されて縦方向に重なる継ぎ目を画定することを特徴とする請求項５項記載のシールドジャック組立体。
【請求項７】
前記シールドジャック組立体は、複数の前記絶縁部材、複数の前記ピン、複数の前記シールドチューブ及び複数の前記接地シェルを具備し、
前記シュラウドは、前記複数の絶縁部材、前記複数のピン、前記複数のシールドチューブ及び前記複数の接地シェルを受容するために貫通する複数の同様な開口を有する後壁を具備することを特徴とする請求項６記載のシールドジャック組立体。
【請求項８】
前記重なる継ぎ目は、前記複数の絶縁部材、前記複数のピン、前記複数のシールドチューブ及び前記複数の接地シェルの中間に下方且つ内方に延びると共に、相手コネクタのための整列リブを画定することを特徴とする請求項７記載のシールドジャック組立体。
【請求項９】
前記接地シェルの前記後板及び前記外側シュラウドは、印刷回路基板への半田付けのための輪郭を有して下方に延びるタブを有することを特徴とする請求項８記載のシールドジャック組立体。
【請求項１０】
細長の絶縁部材であって、中央の細長のピン受容通路、少なくとも前記絶縁部材の外表面に対して前記通路を交差する後スロット、及び前記絶縁部材の前端に隣接する凹部を有する前記絶縁部材を用意する工程と、
細長部及び直交配置された印刷回路基板タインを有する電気ピンを用意する工程と、
前記細長部が前記通路内に絶縁されて配置されるように、且つ前記印刷回路基板タインが前記後スロット部内に延びると共に前記絶縁部材の前記外表面を超えて下方に延びるように、前記電気ピンが露出する前記凹部内に延びる嵌合部を有する前記電気ピンを前記絶縁部材内に挿入する工程と、
前記絶縁部材の前記前端に隣接する位置から前記絶縁部材の長さに少なくとも部分的に沿って後方へ延びる細長の継ぎ目の無いシールドチューブを用意する工程と、
該シールドチューブの外輪郭に適合する外側本体部、印刷回路基板部が一体形成され下方に延びる側壁部、及び前記外側本体部にヒンジ結合されて端部開口を囲むよう下方に折り曲げられる後板状部を有する金属製接地シェルを打抜き加工及び曲げ加工する工程と
を具備することを特徴とするシールドジャック組立体の製造方法。
【請求項１１】
外側シュラウド部を打抜き加工及び曲げ加工する工程と、
前記シールドチューブで取り囲む関係に前記外側シュラウド部を配置する工程と、
前記外側シュラウド部及び前記シールドチューブを共に固定する工程と
をさらに具備することを特徴とする請求項１０記載の製造方法。
【請求項１２】
前記シールドチューブは周辺アンダカットを具備し、
前記接地シェルは、前記外側本体部の一部分が前記アンダカット内に延びる状態で前記シールドチューブの周囲で圧着されることを特徴とする請求項１１記載の製造方法。
【請求項１３】
複数の絶縁部材、複数のピン、複数のシールドチューブ及び複数の接地シェルを用意し、前記シュラウドが、前記複数の絶縁部材、前記複数のピン、前記複数のシールドチューブ及び前記複数の接地シェルを受容するために貫通する複数の同様な開口を有する後壁を有する工程をさらに具備することを特徴とする請求項１１記載の製造方法。
【発明の詳細な説明】
【技術分野】
【０００１】
本発明はシールド（遮蔽）ジャックに関し、より詳細には、印刷回路基板に実装する打抜き加工及び曲げ加工されたジャックに関する。
【背景技術】
【０００２】
印刷回路基板にシールドケーブル接続部（コネクタ）を設けることは一般的である。これらのコネクタは通常、直角構造のピン端子を有し、直角部は印刷回路基板に接続するために設けられる。ピンは導電性外シェル内で絶縁され、シェルは金属製の絞り加工されたチューブを具備するのが代表的であり、絞り加工されたチューブは絞り加工後にめっきされる。チューブに絞り加工される金属は、絞り加工がめっきを損傷してシールド及び接地品質の低下を招くので、めっき材にすることができない。絞り加工及び後めっき工程の組合せは電気コネクタの製造工程をコスト高にするので、この工程を削減することが望ましい。
【特許文献１】英国特許出願公開第２２４８７３０号明細書
【発明の開示】
【発明が解決しようとする課題】
【０００３】
接地シェルの少なくとも一部をめっき材から打抜き加工及び曲げ加工して製造工程のコストを低減する直角型シールドジャック組立体を提供できれば有利である。
【０００４】
打抜き加工及び曲げ加工された直角型コネクタの一応用例が特許文献１に記載されている。この文献では、打抜き加工及び曲げ加工された２個の接地シェルがピン端子及び絶縁体を封入し、基板実装コネクタを提供する。しかし、このコネクタは、接地シェルの全長に沿った縦長の継ぎ目が接地シェルに形成されてしまう。
【課題を解決するための手段】
【０００５】
本発明のシールドジャック組立体により解決策が提供される。このシールドジャック組立体は細長の絶縁部材を具備し、絶縁部材は、中央の細長のピン受容通路、少なくとも絶縁部材の外表面に対して通路を交差する後スロット、及び絶縁部材の前端に隣接する凹部を有する。通路内に絶縁されて配置された細長部と、後スロット部に延びると共に絶縁部材の外表面を超えて下方に延びる直交配置された印刷回路基板タインとを有する電気ピンが設けられる。ピンは、このピンが露出する凹部内に延びる嵌合部を有する。細長の継ぎ目の無いシールドチューブは、絶縁部材の前端に隣接する位置から絶縁部材の長さに少なくとも部分的に沿って後方へ延びる。打抜き加工及び曲げ加工された金属製接地シェルは、シールドチューブの外輪郭に適合する外側本体部、印刷回路基板部が一体形成され下方に延びる側壁部、及び外側本体部にヒンジ結合されて端部開口を囲むよう下方に折り曲げられる後板状部を有する。
【発明を実施するための最良の形態】
【０００６】
以下、添付図面を参照して本発明を説明する。
【０００７】
最初に図１及び図２を参照すると、本発明は、図１及び図２に最もよく示され、接地シェル部材４、前シールドシュラウド６、筒状チューブ８及びピン端子１０を具備するジャック組立体２に関する。図３を参照して、外側シュラウド６を詳細に説明する。
【０００８】
シュラウド６は単一の金属板を打抜き加工及び曲げ加工され、元の金属板は下壁１２の平面内にある。下壁１２は、絞り加工された開口１６を有する端壁１４に連続する。また、湾曲した側壁１８は、下壁１２の側縁から延びており、逆に曲げられて壁半体２０を有する分割された上壁を形成する。各壁２０は、閉じた継ぎ目を形成するように折り返された継ぎ目２２を有する。取付耳２４は、湾曲した壁部１８の対向する両側から延びており、さらに後述するようにシールド壁すなわち仕切り壁に実装するための実装開口２６を有する。最後に、接地実装タブ２８が、下壁１２の先端縁から延びており、さらに後述するように実装のための輪郭を有する。
【０００９】
さて、図４及び図５を参照して、接地シェル４を詳細に説明する。図５に最もよく示されるように、接地シェル４は、前縁３２及び後縁３４を有する部分的な筒状部３０を有する。部分的な筒状部３０は、縁３６，３８（図４参照）で終端し、板状部４０，４２まで連続する。板状部４０，４２は、当業界で公知であるように、印刷回路基板のスルーホールに受容するために延出する印刷回路基板タイン部４４を有する。図５に示されるように、側壁４０は端縁４５を有し、側壁４２は端縁４６を有し、各縁４５，４６は凹部４８を有する。また、図５に示されるように、接地シェル４は、ヒンジ５２で筒状部３０に取り付けられた後壁５０を有する。また、後壁５０は、凹部４８に受容されるように輪郭を有するロックタブ５４を有する。最後に、後壁５０は、後壁５０から下方に延びてロックタブ２８（図３参照）として同様に構成される取付タブ５８を有する。また、接地シェル４は予めめっきされた鉄板を打抜き加工及び曲げ加工することが考えられる。
【００１０】
図３及び図７に最もよく示されるように、筒状チューブ８は、小径部６２を有する前端部６０と、後部６４とを有して示される。後部６４は、周辺溝６６及び肩６８を有する。筒状チューブ８は内部直径７０をさらに有する。
【００１１】
また、図７に最もよく示されるように、ジャック組立体２は、直径７０内に受容される輪郭を有する前筒状部７６と、筒状チューブ８の後部６４の後縁に当接するための後矩形部７８とを有する絶縁部材７４を具備する。後矩形部７８は、平行な対向表面８０（図７は断面図のため一方の表面のみが見える）により形成された横スロットを有する。平行な対向表面８０により形成されたスロットは端子受容開口８２に移行し、この開口は、前凹部８４内に開口する絶縁部材７４内へ前方に突出する。
【００１２】
また、図７に示されるように、端子１０は、通路８２内に位置する細長のピン部９０を有し、当業者には公知である印刷回路基板受容端子を画定する直角部９２を有する。図７に示されるように、部分９２は、平行な対向表面８０により画定されるスロットに受容されるように直角に形成されている。
【００１３】
最後に、図３を参照すると、前スリーブ９４，９６もまた、極性付与のために直径及び長さの一方又は両方を変更した筒状チューブ８の前端に配置できる。
【００１４】
上述した部品で、ジャック組立体を説明する。図７に最もよく示されるように、ピン端子９０は最初に通路８２内に挿入され、その上に、絶縁部材７４の前筒状部７６を筒状チューブ８の直径７０内に配置できる。次に、接地シェル４を筒状チューブ８上に摺動可能に受容でき、筒状部３０の一部が筒状チューブ８を包囲する。筒状部３０の前端は圧着されて圧痕１００を形成でき、この圧痕は周辺溝６６（図７）内に埋まり接地シェル４及び筒状チューブ８を縦方向に保持する。図示されているように、接地シェル４及び筒状チューブ８で構成されるジャック組立体は、図７に示される位置まで絞り加工された筒状シェル部１６内に受容される。これにより、外シュラウド６を、圧入、圧着、半田付け及び他の同様な手段を含む多数の方法で接地シェル４に対して保持できる。
【００１５】
この設計の利点は、本明細書において参照番号４で示される接地シェルを有するコネクタ組立体を打抜き加工及び曲げ加工する簡略化された組立方法を提供することである。特に接地シェルが絞り加工されている従来技術では、絞り加工がめっき材に大きなダメージを与えるので、コネクタ組立体はめっき材を使用することができなかった。このため、めっき材が絞り加工され、次に後めっきされると、工程が著しくコスト高になる。
【００１６】
次に図８ないし図１２を参照して、相手ソケットコネクタ１１０を詳細に説明する。図８及び図９は、絶縁ハウジング１１２、シールドコンタクト１３０（図１０参照）及び保持プラグ１４０（図１０参照）を具備する組立後の組立体を互いに逆方向から見た斜視図である。図１０に示されるように、ハウジング１１２は、開口１１６を有する前面１１４、中央スロット１１８、及び開口１２２を有する後面１２０（図９参照）を有する。シールドコンタクト１３０は、個々のコンタクト部１３２及び後圧着領域１３４を有する。内部絶縁ハウジング１５０（図１２参照）は端子通路１５２及び下曲げ部１５４を有する。雌型コンタクトは開口１５６に隣接する開口１５２内に配置できるので、通路１５２内で雌型コンタクトと接触した状態で開口１５６を通って反対側からピン部９１を受容することができる。さらに、凹部８４（図７参照）内に下曲げ部１５４を受容できるが、同時に、シールドコンタクト１３２は電気的に接触した状態で筒状チューブ８と重ねて係合できる。
【図面の簡単な説明】
【００１７】
【図１】本発明のシールドジャック組立体を後から見た斜視図である。
【図２】本発明のシールドジャック組立体を前から見た斜視図である。
【図３】シールドシュラウドを接地シェルから分解した、図２と同様の斜視図である。
【図４】図３に示された接地シェルを前から見た斜視図である。
【図５】接地シェルを後から見た図１と同様の斜視図である。
【図６】組立後のジャック組立体の正面図である。
【図７】図６の７−７線に沿った断面図である。
【図８】図１ないし図７のジャック組立体と相互接続する相手コネクタを前から見た斜視図である。
【図９】図８に示されたコネクタを後から見た斜視図である。
【図１０】図８に示されたコネクタの分解図である。
【図１１】図８に示されたコネクタの正面図である。
【図１２】図１１の１２−１２線に沿った断面図である。
【符号の説明】
【００１８】
２    シールドジャック組立体
４    接地シェル
６    外シュラウド
８    筒状チューブ（シールドチューブ）
１０  ピン端子（電気ピン）
１４  端壁（後壁）
１６  開口
２２  継ぎ目
３０  筒状部（外側本体部）
４０，４２  板状部（側壁部）
４４  印刷回路基板タイン（印刷回路基板部）
５０  後壁（後板）
５８  タブ
６６  周辺溝（周辺アンダカット）
７４  絶縁部材
８２  ピン受容開口（通路）
８４  凹部
９０  ピン部（細長部）
９２  印刷回路基板タイン
【図１】
2005294260.tif 000003
【図２】
2005294260.tif 000004
【図３】
2005294260.tif 000005
【図４】
2005294260.tif 000006
【図５】
2005294260.tif 000007
【図６】
2005294260.tif 000008
【図７】
2005294260.tif 000009
【図８】
2005294260.tif 000010
【図９】
2005294260.tif 000011
【図１０】
2005294260.tif 000012
【図１１】
2005294260.tif 000013
【図１２】
2005294260.tif 000014